(57)【特許請求の範囲】
【請求項１】
外箱と内箱により構成されたケース本体内に、前面が開口した貯蔵室を形成し、該貯蔵室の開口部を前記貯蔵室の上部前端に設けた冷気吹出口から下方に設けた冷気吸込口に向けて吹き出される冷気のエアーカーテンで覆うことにより前記貯蔵室を冷却してなるオープンショーケースにおいて、
左右方向に延設する前記外箱と内箱の前壁間で形成される上方が開口する冷気吸込口に、前方の傾斜支持面と後方の傾斜支持面とでＶ字形をなす支持部材を左右方向に取着するとともに、前記支持部材上には、該支持部材の前記Ｖ字形の前後の傾斜支持面と同じ傾斜角度のＶ字形の前方の傾斜面と後方の傾斜面とで構成された冷気吸込孔を有する吸込口カバーが、前記冷気吸込口を覆うように着脱自在に載置され、前記支持部材は、前記吸込口カバーが載置された状態において、前方の傾斜支持面の前端が前記吸込口カバーの前方の傾斜面を形成する前端部より後方に位置していることを特徴とするオープンショーケース。
【請求項２】
前記吸込口カバーは、前記前方の傾斜面の前方には折曲片を、前記後方の傾斜面の後方には前記内箱の前壁に載置可能な水平面を備えている請求項１に記載のオープンショーケース。
【請求項３】
前記冷気吸込孔は、前記後方の傾斜面から前記水平面にかけてスリット状に形成されている請求項２に記載のオープンショーケース。
【請求項４】
前記冷気吸込孔は、前記Ｖ字形の両傾斜面にかけてスリット状に形成されている請求項１ないし３に記載のオープンショーケース。
【発明の詳細な説明】
【０００１】
【発明の属する技術分野】
本発明は、スーパーマーケットやデパート、コンビニエンスストア等において、冷凍・冷蔵食品、生鮮食料品などを陳列または保存するためのオープンショーケースに関する。
【０００２】
【従来の技術】
この種の従来の冷蔵ショーケース（以下オープンショーケースと略称する）は、図４に示すように符号０１で示されており、このオープンショーケース０１は、箱形の断熱壁よりなる外ケース０２ａ〜０２ｄの内方に、内ケース０３ａ〜０３ｄを所要の間隔離間させて配設することで冷気の通風路を形成し、内ケース０３ａ〜０３ｄにより囲まれて前面が開放された商品収納部０４として構成し、この中に青果物等の商品を陳列するようにしている。
【０００３】
商品収納部０４に収容された青果物等は、内外のケース０２ａ〜０２ｄ、０３ａ〜０３ｄ間の底部に設けた冷却器を通過した送風機（いずれも図示略）からの冷気を、内ケース０３ａ〜０３ｄ前端上部の冷気吹出口０５より吐出させ、内外のケース０２ａ〜０２ｄ、０３ａ〜０３ｄ前端下部の冷気吸込口０６より吸引して循環させることにより、商品収納部０４の前面開放面に冷気のエアカーテンを形成することにより保冷されるようになっている。
【０００４】
図５に示すように、上記の冷気吸込口０６は、支持板０８の上部に着脱可能に載置された吸込口カバー０１０により覆われており、この吸込口カバー０１０は、幅方向前端に形成された垂直片０１０ａが冷気吸込口０６前方に設けられた受部材０１２に差し込み支持されると共に、後端に形成された水平片０１０ｂが支持板０８後方の上部に支持され、水平片０１０ｂの上面には商品等を載置する内ケースの一部をなす棚板０３ａの前端が上方より覆われており、通風路を形成する外ケース０２ｂとしての底部には排水口０１４が設けられている。
【０００５】
【発明が解決しようとする課題】
ところで、上記のオープンショーケース０１では、定期的に冷気吸込口０６や排水口０１４近傍の通風路内底部の清掃が行われているが、このような清掃時には、吸込口カバー０１０の水平片０１０ｂの上面は棚板０３ａの前端で覆われているため、商品が載置されている棚板０３ａを取外さなければ吸込口カバー０１０を取外すことができず、清掃の度に棚板０３ａ上の商品を取り除く作業は免れないという問題を有していた。
【０００６】
本発明は、このような状況に鑑みてなされたもので、吸込口カバーを冷気吸込口に設けた支持部材上に載置しただけで正確に位置決めすることができるだけでなく、吸込口カバーの簡単な取外し作業により開放された冷気吸込口を通して通風路内部の清掃を容易に行うことができるオープンショーケースを提供することを目的とするものである。
【０００７】
【課題を解決するための手段】
上記課題を解決するために、外箱と内箱により構成されたケース本体内に、前面が開口した貯蔵室を形成し、該貯蔵室の開口部を前記貯蔵室の上部前端に設けた冷気吹出口から下方に設けた冷気吸込口に向けて吹き出される冷気のエアーカーテンで覆うことにより前記貯蔵室を冷却してなるオープンショーケースにおいて、左右方向に延設する前記外箱と内箱の前壁間で形成される上方が開口する冷気吸込口に、前方の傾斜支持面と後方の傾斜支持面とでＶ字形をなす支持部材を左右方向に取着するとともに、前記支持部材上には、該支持部材の前記Ｖ字形の前後の傾斜支持面と同じ傾斜角度のＶ字形の前方の傾斜面と後方の傾斜面とで構成された冷気吸込孔を有する吸込口カバーが、前記冷気吸込口を覆うように着脱自在に載置され、前記支持部材は、前記吸込口カバーが載置された状態において、前方の傾斜支持面の前端が前記吸込口カバーの前方の傾斜面を形成する前端部より後方に位置していることを特徴としている。この特徴によれば、吸込口カバーが、支持部材に形成したＶ字形の傾斜支持面に対応する傾斜面を有しているので、吸込口カバーを支持部材上に載置するだけで２つの傾斜面で形成される谷部同士が支持部材の傾斜支持面によって容易に位置決めすることができる。また、吸込口カバーの前方の傾斜面の前端を下方に押圧することで、支持部材の前端部を支点として吸込口カバーの後方の傾斜支持面の後方を持ち上げることができるので、吸込口カバーに取手などを設けずに容易に取り外すことができる。
【０００９】
本発明のオープンショーケースは、前記吸込口カバーが、前記前方の傾斜面の前方には折曲片を、前記後方の傾斜面の後方には前記内箱の前壁に載置可能な水平面を備えていることが好ましい。
このようにすれば、支持部材に対してより安定して吸込口カバーを載置できるだけでなく、冷気吸込口の周囲が吸込口カバーで密閉され、異物やエアーの吸い込みを防止できる。
【００１０】
本発明のオープンショーケースは、前記冷気吸込孔が、前記Ｖ字形の両傾斜面にかけてスリット状に形成されていることが好ましい。
このようにすれば、吸込口カバーの貯蔵室側のエアーカーテン冷気を効率よく吸い込むことができる。
【００１１】
本発明のオープンショーケースは、前記冷気吸込孔は、前記後方の傾斜面から前記水平面にかけてスリット状に形成されていることが好ましい。
このようにすれば、吸込口カバーにおける冷気吸い込み面積を拡大することができる。
【００１２】
【発明の実施の形態】
以下、本発明の実施例を図面に基づいて説明する。図１は本発明のオープンショーケースを示す断面図、図２は吸込口カバーが載置された吸引口内部を示す断面図であり、図３は支持部材上に吸込口カバーが載置される状態を示す部分斜視図である。
【００１３】
先ず、図１には本発明の適用されたショーケースとして例えばオープンショーケース１が示されている。
【００１４】
オープンショーケース１は、箱形の断熱壁よりなる外箱を形成する外ケース４ａ〜４ｄの内方に内箱として形成される内ケース２ａ〜２ｃを、所用の間隔を設けて配設し、内ケース２ａ〜２ｃにより囲まれた内部空間を上面ないし前面が開放された商品収納部３として、この中に青果物等が陳列されるようになっている。
【００１５】
そして、オープンショーケース１は、商品収納部３を構成する内ケース２ａ〜２ｃと、その外側に配設される外ケース４ａ〜４ｄとの間には冷気循環経路７ａ、７ｂ、７ｃが配設されている。
【００１６】
上記のように構成された冷気循環経路７ａ内の送風機５を駆動させることにより、冷却器６を通過して冷却された冷気は、ショーケース１上部の冷気吹出口８より吐出し商品収納部３前面の内外ケース前端上部の冷気吸込口１０から吸引して図中破線で示される矢印方向に循環させることにより、ショーケース１の開放面にエアーカーテンを形成して商品収納部３内の冷凍食品や生鮮食料品等が所定温度に保冷できるようになっている。
【００１７】
また、商品収納部３下方の各種商品が載置される内ケースの一部を構成するベース棚板２ａの下部には、冷却循環通路を構成するための外ケース４ａ、４ｂには内方に向けて下方傾斜しいる底パネル１２ａと、前方に向けて緩く下方傾斜している底パネル１２ｂが設けられている。この底パネル１２ａ、１２ｂの谷部には、冷却器６の除霜時における解凍された水または堆積したゴミ類を排出する排水口Ｄが設けられている。
【００１８】
更に、冷気吸込口１０は、ショーケース１前面下方の左右方向に延設する外ケース４ａと内ケース２ａ間の上方が開口し、この開口部は後述する吸込口カバー１４により覆われている。
【００１９】
詳しくは、吸込口カバー１４は、図３に示すように、前方の傾斜面１４ａと後方の傾斜面１４ｂとにより谷部１８ａが折曲形成されたＶ字形状をなし、前方の傾斜面１４ａの前端には下方に向く折曲片１４ｃが折曲形成されると共に、後方の傾斜面１４ｂの後方には水平面１４ｄが折曲形成されて、この折曲部により前記谷部１８ａと平行な山部となる稜線１８ｂが形成される。この折曲片１４ｃは外ケース４ａの前壁と当接して、ここから異物や、エアーが吸引されないようにしている。
【００２０】
そして、吸込口カバー１４の前方の傾斜面１４ａには、前後方向を向くスリット状に形成された冷気吸込孔２０が複数列に形成されると共に、後方の傾斜面１４ｂないし水平面１４ｄにも稜線１８ｂを跨いで複数の冷気吸込孔２２ａ、２２ｂが連設形成されている。
【００２１】
また、左右方向を向く冷気吸込口１０の開口に形成される支持面１０ａ上には、吸込口カバー１４のＶ字形状の傾斜面と同じ傾斜角度のＶ字形状をなす前方の傾斜支持面１５ａと後方の傾斜支持面１５ｂとを有する複数の支持部材１５が所定間隔で取着されている。
【００２２】
更に、冷気吸込口１０の内側（棚板側）上面には垂直な棚板支持板２５が立設して取着されており、この棚板支持板２５は、垂直支持面２５ａと、この垂直支持面２５ａの上端に外側（冷気吸込口１０側）に向けて水平に折曲した上部支持片２５ｃと、垂直支持面２５ａの下端に内側（棚板側）に向けて水平に折曲した下部支持片２５ｂが形成されており、棚板支持板２５の垂直支持面２５ａには、図示しない複数の支持孔が所定間隔毎に左右方向に列設されており、これら支持孔には棚板２ａの前端が挿通支持されている。
【００２３】
更に詳しくは、支持部材１５は、上記前方の傾斜支持面１５ａと後方の傾斜支持面１５ｂに加え、下端に、支持面１０ａに取着する水平な支持片２４ａが折曲形成されると共に、後端には棚板支持板２５の垂直側面に取付けるべく折曲した取付片２４ｂが形成され、後方上部には棚板支持板２５の上部支持片２５ｃと接続すべく水平に折曲した上部支持片１５ｃが形成されている。
【００２４】
そこで、上記のように構成された支持部材１５が、左右方向に延設する外ケース４ａと内ケース２ａの前壁間で形成される冷気吸込口１０の開口に形成される支持面１０ａ上に所定間隔毎に取着されると、この支持部材１５上に吸込口カバー１４が載置される。
【００２５】
この吸込口カバー１４を支持部材１５上に支持するに際し、支持部材１５の前方の傾斜支持面１５ａ上には吸込口カバー１４の前方傾斜面１４ａを対応させると共に、支持部材１５の後方の傾斜支持面１５ｂ上には吸込口カバー１４の後方の傾斜面１４ｂを対応させるように載置する。
【００２６】
これにより、支持部材１５の前方の傾斜支持面１５ａ上に吸込口カバー１４の前方の傾斜面１４ａが接触した場合には、この吸込口カバー１４の前方の傾斜面１４ａが前方の傾斜支持面１５ａ上を下方に滑って後方の傾斜面１４ｂが後方の傾斜支持面１５ｂに当接し、２つの傾斜面同士が接触したところで相互の谷部同士が自動的に位置決めされる。また、支持部材１５の後方の傾斜支持面１５ｂ上に吸込口カバー１４の後方の傾斜面１４ｂが先に接触した場合も上記と同様に相互の谷部同士が位置決めされる。
【００２７】
そして水平面１４ｄが棚板支持板２５の上部支持片２５ｃの上部に載置されることでより安定した吸込口カバー１４の位置決めが可能となり、また折曲片１４ｃが外ケース４ａの前壁と当接し、水平面１４ｄが上部支持片２５ｃと当接することで冷気吸込口１０の周囲が吸込口カバー１４で密閉され、異物やエアーの吸い込みが防止できる。
【００２８】
このように、吸込口カバー１４が、支持部材１５の各傾斜支持面１５ａ、１５ｂの傾斜面に対応する傾斜面が形成されているので、吸込口カバー１４を支持部材１５上に載置するだけで２つの傾斜支持面１５ａ、１５ｂで形成される谷部同士が支持部材１５によって容易に位置決めすることができる。
【００２９】
そして、図２に示すように、吸込口カバー１４が支持部材１５上に位置決めされたとき、吸込口カバー１４の前方の傾斜面１４ａが支持部材１５の前方の傾斜支持面１５ａの先端頂部Ｐより若干前方に突出している。
【００３０】
これにより、棚板２ａ下面における排水口Ｄ近傍の通風路内底部の清掃を行う際には、吸込口カバー１４の前方の傾斜面１４ａ先端を矢印に示したように下方に向かって押し下げ、吸込口カバー１４は前方の傾斜支持面１５ａの先端頂部Ｐを支点として回動させることにより、吸込口カバー１４の後方部が浮き上がらせ、上昇した後方の水平面１４ｄの端部を把持することで、容易に吸込口カバー１４を取り外すことができる。したがって、吸込口カバーに取手などを設ける必要がない。
【００３１】
そして、商品収納部３内の冷凍食品や生鮮食料品等を所定温度に保冷するために、冷気循環経路７ａ内の送風機５が駆動されると、図１に示すように、冷却器６を通過して冷却された冷気は、ショーケース１上部の冷気吹出口８より吐出し商品収納部３前面の内外ケース前端上部の冷気吸込口１０を覆う吸込口カバー１４の前後方向を向くスリット状に形成された多数の冷気吸込孔２０及び２２ａ、２２ｂを通して内部に吸引され再び送風機５に導かれる。
【００３２】
冷気吸込孔２２ａ、２２ｂは稜線１８ｂを跨いで連設形成されているが、冷気吸込孔２０も谷部１８ａを跨いで後方の傾斜面１６ｂに連設形成して、広範囲の領域から効率良く吸引することもできる。
【００３３】
【発明の効果】
本発明は以下の効果を奏する。
【００３４】
（ａ）請求項１項の発明によれば、吸込口カバーが、支持部材に形成したＶ字形の傾斜支持面に対応する傾斜面を有しているので、吸込口カバーを支持部材上に載置するだけで２つの傾斜面で形成される谷部同士が支持部材の傾斜支持面によって容易に位置決めすることができる。また、吸込口カバーの前方の傾斜面の前端を下方に押圧することで、支持部材の前端部を支点として吸込口カバーの後方の傾斜支持面の後方を持ち上げることができるので、吸込口カバーに取手などを設けずに容易に取り外すことができる。
【００３６】
（ｂ）請求項２項の発明によれば、支持部材に対してより安定して吸込口カバーを載置できるだけでなく、冷気吸込口の周囲が吸込口カバーで密閉され、異物やエアーの吸い込みを防止できる。
【００３７】
（ｃ）請求項３項の発明によれば、吸込口カバーにおける冷気吸い込み面積を拡大することができる。
【００３８】
（ｄ）請求項４項の発明によれば、吸込口カバーの貯蔵室側のエアーカーテン冷気を効率よく吸い込むことができる。
【図面の簡単な説明】
【図１】本発明のオープンショーケースを示す断面図である。
【図２】吸込口カバーが載置された吸引口内部を示す断面図である。
【図３】支持部材上に吸込口カバーが載置される状態を示す部分斜視図である。
【図４】従来のオープンショーケースを示す断面図である。
【図５】従来のオープンショーケースの吸込口カバーを示す部分断面図である。
【符号の説明】
１                    ショーケース（オープンショーケース）
２ａ                  ベース棚板（内ケース）
２ｂ、２ｃ            内ケース（内箱）
３                    商品収納部
４ａ〜４ｄ            外ケース（外箱）
５                    送風機
６                    冷却器
７ａ、７ｂ、７ｃ      冷気循環経路
８                    冷気吹出口
１０                  冷気吸込口
１０ａ                支持面
１２ａ、１２ｂ        底パネル
１４                  吸込口カバー
１４ａ                前方の傾斜面
１４ｂ                後方の傾斜面
１４ｃ                折曲片
１４ｄ                水平面
１５                  支持部材
１５ａ                前方の傾斜支持面
１５ｂ                後方の傾斜支持面
１５ｃ                上部支持片
１８ａ                谷部
１８ｂ                稜線
２０                  冷気吸込孔
２２ａ、２２ｂ        冷気吸込孔
２４ａ                支持片
２４ｂ                取付片
２５                  棚板支持板
２５ａ                垂直支持面
２５ｂ                下部支持片
２５ｃ                上部支持片
Ｄ                    排水口
Ｐ                    先端頂部
【図１】
0004132927.tif 000002
【図２】
0004132927.tif 000003
【図３】
0004132927.tif 000004
【図４】
0004132927.tif 000005
【図５】
0004132927.tif 000006